(57)【要約】      （修正有）【課題】降雨時に既着しているズボンの外着として着用する雨用ズボンに於いて、立位でかつ靴を着用したままの状態で迅速に脱着可能な雨用ズボンの技術を提供する。【解決手段】ウェスト部８Ｃ上端周縁部に伸縮自在となるゴム等の弾性部材が内縫したギャザー９を設けている。左・右の脚部８Ａ、８Ｂの外側面にはいずれも縦方向に裁断され開口１０、１１が設けられている。この開口１０、１１の一方縁及び他方縁１０ａ、１１ａ及び１０ｂ、１１ｂはそれぞれファスナー１２を縫合している。ギャザー９は一部に左又は右脚部８Ａ又は８Ｂのいずれか一方の開口１０、１１に連なる切口を設け、左又は右脚部８Ａ又は８Ｂを開口している。ギャザー９の内側であって、切口に隣接した部位の一方縁１３ａには係止ボタンを縫合しており、この係止ボタンに係止する弾性材料でなるゴム糸状部品（紐）を他方縁１３ｂに固定し張設する。【選択図】図１
0003140060.tif 000002
【実用新案登録請求の範囲】
【請求項１】
左・右の脚部と、上端周縁に縫合したギャザーを有したウェスト部とでなる雨用ズボンに於いて、前記左・右の脚部の外側面に縦方向に裁断した２つの開口を備え、この２つの開口をそれぞれ開閉自在にするスライダーを備えた２つのファスナーを該２つの開口の一方縁、他方縁に縫合し、該２つの開口のいずれか一方の開口に連なる切口を前記ギャザーに形成し、該ギャザーの内側であって該切口に隣接した部位の一方縁に縫合された係止ボタンを有し、該切口の他方縁に固定されかつ張設された弾性材料でなるゴム糸状部品（紐）を該係止ボタンに係止してなり、前記雨用ズボンの下端（裾）を絞り込む止めボタンを該雨用ズボンの下端（裾）に縫合し又は固定したことを特徴とする雨用ズボン。
【請求項２】
前記雨用ズボンはナイロン、軟質ビニール等の柔軟性材料で製作されかつ折り畳み自在であって、同一材質又は他の柔軟性材質で偏平又は円筒状に製作された携帯用袋体に収納可能なことを特徴とする請求項１記載の雨用ズボン。
【考案の詳細な説明】
【技術分野】
【０００１】
本考案は、降雨時に既着しているズボンの外着として着用するもので、立位でかつ靴を着用したままの状態で迅速に脱着可能な雨用ズボンに関する。
【背景技術】
【０００２】
この種、従来の技術に於ける例としては、図４に示す実用新案登録第３０３０８７４号に係る登録実用新案公報に開示された技術がある。
これについて説明すれば、１は雨用ズボンであり、該雨用ズボン１はナイロン、軟質ビニ−ル、布地、不織布等の防水加工を施した生地２よりなり、該雨用ズボン１はウエスト部３を有する左右２つの脚部７ａ，７ｂより構成されている。ウエスト部３の上端縁辺部には該雨用ズボン１が既着しているズボン（図示せず）からズリ落ちないようにギャザ−部４が設けられており、該ギャザ−部４の内には伸縮締付自在となるよう弾性を有するゴムが内縫されている。ウエスト部３はその略中央にて縦状に裁断されており、ウエスト部３及びギャザ−部４は左右に展開することが可能となっている。脚部７ａ、７ｂの内側中央部は前記ウエスト部３と一体的に縦状裁断してあり、従って該脚部７ａ、７ｂの内側中央部には開口部５が形成されている。また、ウエスト部３及び脚部７ａ、７ｂの裁断部縁辺部にはベルベット式ファスナ−６が融着もしくは貼着されており、ウエスト部３及び開口部５は該ベルベット式ファスナ−６によって開閉自在となっている。
【特許文献１】実用新案登録第３０３０８７４号に係る登録実用新案公報
【考案の開示】
【考案が解決しようとする課題】
【０００３】
従来の技術は、叙上の構成であるので次の課題が存在した。
図４に示す従来技術に於いては、脚部７ａ、７ｂの裁断部縁辺部に融着もしくは貼着されている複数のベルベット式ファスナ−６は一組づつの雄側と雌側を位置を正確に合わせながら脚部７ａ、７ｂの裁断部縁辺部を閉鎖していく必要があり、着用作業が煩雑であるという問題点があった。また、上記ベルベット式ファスナ−６は一組づつ雄側と雌側を正確に位置合せしないと、脚部７ａ、７ｂの裁断部縁辺部の重ね合わせ部位がずれて引き攣れるので隙間が開くことになり、その隙間から雨水が浸入するという問題点があった。さらに股部の曲面は上記ベルベット式ファスナ−６で閉鎖されるが、雨でぬれた場所に腰掛けるとベルベット式ファスナ−６で完全に閉じられていない箇所、つまり前記裁断部縁辺部の部分から雨水が浸入するという問題点もあった。
本考案が解決しようとする課題は、上記背景技術に存在する問題点を解決することにある。
【課題を解決するための手段】
【０００４】
本考案に係る雨用ズボンは叙上の問題点を解決すべく考案したものであって、次の構成、手段から成立する。
【０００５】
すなわち、請求項１記載の考案によれば、左・右の脚部と、上端周縁に縫合したギャザーを有したウェスト部とでなる雨用ズボンに於いて、前記左・右の脚部の外側面に縦方向に裁断した２つの開口を備え、この２つの開口をそれぞれ開閉自在にするスライダーを備えた２つのファスナーを該２つの開口の一方縁、他方縁に縫合し、該２つの開口のいずれか一方の開口に連なる切口を前記ギャザーに形成し、該ギャザーの内側であって該切口に隣接した部位の一方縁に縫合された係止ボタンを有し、該切口の他方縁に固定されかつ張設された弾性材料でなるゴム糸状部品（紐）を該係止ボタンに係止してなり、前記雨用ズボンの下端（裾）を絞り込む止めボタンを該雨用ズボンの下端（裾）に縫合し又は固定したことを特徴とする。
【０００６】
請求項２記載の考案によれば、前記請求項１記載の雨用ズボンはナイロン、軟質ビニール等の柔軟性材料で製作されかつ折り畳み自在であって、同一材質又は他の柔軟性材質で偏平又は円筒状に製作された携帯用袋体に収納可能なことを特徴とする。
【考案の効果】
【０００７】
本考案に係る雨用ズボンは、叙上の構成を有するので次の効果がある。
【０００８】
すなわち、請求項１記載の考案によれば、左・右の脚部と、上端周縁に縫合したギャザーを有したウェスト部とでなる雨用ズボンに於いて、前記左・右の脚部の外側面に縦方向に裁断した２つの開口を備え、この２つの開口をそれぞれ開閉自在にするスライダーを備えた２つのファスナーを該２つの開口の一方縁、他方縁に縫合し、該２つの開口のいずれか一方の開口に連なる切口を前記ギャザーに形成し、該ギャザーの内側であって該切口に隣接した部位の一方縁に縫合された係止ボタンを有し、該切口の他方縁に固定されかつ張設された弾性材料でなるゴム糸状部品（紐）を該係止ボタンに係止してなり、前記雨用ズボンの下端（裾）を絞り込む止めボタンを該雨用ズボンの下端（裾）に縫合し又は固定したことを特徴とする雨用ズボンを提供する。
このような構成としたので、使用者が立位の状態で両脚を被包すると共に２つのファスナーのスライダーを上方から下方へ又はその逆方向にスライドすることで当該雨用ズボンを雨天等に際し、迅速かつ容易に着用することができる。また、使用時に於いて左・右の脚部に形成した２つの開口は上記ファスナーで完全に閉止され、かつ該雨用ズボンの下端（裾）を止めボタンで絞り込めるので雨水等が浸入することがなく既に着用しているズボン等を汚損することがないという効果がある。また、ウェスト部の上縁周縁にギャザーを有すると共に、このギャザーの内側にウェスト部の切口幅を弾性的に拡開・縮小させる係止ボタン及びゴム糸状部品を備えたので雨用ズボンを着用した後は容易にずり落ちることがないという効果がある。
【０００９】
また、請求項２記載の考案によれば、前記請求項１記載の雨用ズボンはナイロン、軟質ビニール等の柔軟性材料で製作されかつ折り畳み自在であって、同一材質又は他の柔軟性材質で偏平又は円筒状に製作された携帯用袋体に収納可能なことを特徴とする雨用ズボンを提供する。
このような構成としたので、請求項１記載の考案の効果に加えて、当該雨用ズボンは容易に折り畳み可能であり、不使用時に携帯用袋体に収納し持ち運びができる構成としたので極めて便利であるという効果がある。
【考案を実施するための最良の形態】
【００１０】
以下、本考案に係る雨用ズボンの実施の形態について添付図面に基づき詳細に説明する。
【００１１】
図１は、本考案に係る雨用ズボンの実施の形態を示す図面であって、当該雨用ズボンの利用者が着用した状態を示す斜視図である。
図２は図１に示す雨用ズボンのウェスト部の内側を拡大した斜視図である。
【００１２】
８は本考案に係る雨用ズボンであり、大概して左及び右の脚部８Ａ及び８Ｂと、ウェスト部８Ｃで構成される。そして該雨用ズボン８は折り畳み自在であって、ナイロン、軟質ビニ−ル、布地、不織布等の防水加工を施した生地でなる。該ウェスト部８Ｃは上端周縁部に縫合したギャザー９を設けている。このギャザー９内には伸縮自在となるゴム等の弾性部材が内縫している。前記左・右の脚部８Ａ、８Ｂの外側面にはいずれも縦方向に裁断され開口１０、１１が設けられている。この開口１０、１１の一方縁及び他方縁１０ａ、１１ａ及び１０ｂ、１１ｂはそれぞれファスナー１２、１２を縫合している。そして具体的には例えば一方縁１０ａ、１１ａにファスナー１２、１２の雄部を他方縁１０ｂ、１１ｂにファスナー１２、１２の雌部をそれぞれ縫合している。
【００１３】
前記ギャザー９はウェスト部８Ｃに周設されており、この一部に前記左又は右脚部８Ａ又は８Ｂのいずれか一方の開口１０（１１）に連なる切口１３を設け、左又は右脚部８Ａ又は８Ｂを開口している。該ギャザー９の内側であって、該切口１３に隣接した部位の一方縁１３ａには係止ボタン１４を縫合しており、この係止ボタン１４に係止する弾性材料でなるゴム糸状部品（紐）１５の一方を設け、その他方を他方縁１３ｂに固定しゴム糸状部品１５を張設する。
而して該ゴム糸状部品（紐）１５は伸縮自在に配設し、前記切口１３を伸縮かつ開閉自在にし切口１３の幅を拡開又は縮小する。前記ファスナー１２の上端には固定具を含むスライダー１２Ａを備え、使用者が当該雨用ズボン８を着用した後、該ファスナー１２のスライダー１２Ａを上端から下端までスライド動作で下降させることにより該雨用ズボン８の着用が完了する。
【００１４】
１６はポケットであり、前記左・右の脚部８Ａ、８Ｂのいずれか一方又は両方の外側面に設けている。このポケット１６はその内側面に面ファスナーの一方・他方１６ａ、１６ｂを固定し、通常はこの両者を閉止している。該ポケット１６を使用する際、この一方の面ファスナー１６ａと他方の面ファスナー１６ｂを開放する。
【００１５】
前記雨用ズボン８の左・右の脚部８Ａ、８Ｂのそれぞれの下縁８Ｄ、つまりズボンの裾の内側又は外側には図３に示すように複数個の止めボタン１７ａないし１７ｃを縫合または固定しており、この止めボタン１７ａないし１７ｃはいずれか一つを雄型、他を雌型の各ボタンで構成し、使用者がこの雨用ズボン８を着用した後に各ボタン１７ａないし１７ｃを接合することにより、雨用ズボン８の裾を絞り込み、使用者が雨天時に於いて既着用ズボンの裾を汚すことなく安全に歩行することができる。
尚、図中１８は使用者の胴体部である。１９は既着用ズボンである。
【００１６】
次に本考案に係る雨用ズボン８の着用手順等を説明する。
当該雨用ズボン８は図示しないが、該雨用ズボン８と同材質又はビニール材やその他柔軟性材質で構成されるやや偏平な又は円筒状の携帯用袋体（図示せず）に折り畳み収納され、常時持ち歩くことができるようにしている。必要に応じて例えば雨天に際して使用者は当該袋体から雨用ズボン８を取出す。そして、該雨用ズボン８を折り畳み状態から使用状態に展開する。
【００１７】
使用者は靴２０を着用した状態でかつ立位のままで使用者の左足及び右足を該雨用ズボン８の左脚部８Ａ及び右脚部８Ｂのそれぞれの開口１０、１１から被包する。そしてギャザー９のゴム糸状部品１５を係止ボタン１４まで引張ってこの係止ボタン１４に係合する。これにより先ず該雨用ズボン８のギャザー９が使用者の胴体部１８にギャザー９の弾力により締め付ける。従って雨用ズボン８はズリ落ちることはない。次に左側又は右側のファスナー１２、１２のスライダー１２Ａ、１２Ａを雨用ズボン８の上端つまりウェスト部８Ｃから裾つまり下端８Ｄへ又は下端８Ｄから上端（ウェスト部）８Ｃへスライドさせて開口１０、１１を閉止する。このように携帯用袋体から迅速に該雨用ズボン８を取出しかつ着用することができ、予測のつかない急激な雨天にも対処でき、すでに着用しているズボン１９等を確実に保護することができる。また、天候が晴天等になれば、土や雨で汚れた靴を着用したままですでに着用しているズボンを汚すことなく上述した手順を逆にして該雨用ズボン８を既に着用しているズボン１９から迅速に取外すことが可能となる。
尚、ゴム糸状部品１５に代えて、樹脂又は金属等でなる鉤状フックをギャザー９に固定してもよい。
【図面の簡単な説明】
【００１８】
【図１】本考案に係る雨用ズボンの実施の形態を示す図面であって、着用した状態を示す斜視図である。
【図２】図１に示す雨用ズボンのウェスト部の内側を拡大した斜視図である。
【図３】図１に示す雨用ズボンの下端（裾）を拡大した斜視図である。
【図４】従来の技術に於ける雨用ズボンの一例を示す構成図である。
【符号の説明】
【００１９】
８              雨用ズボン
８Ａ            雨用ズボンの左脚部
８Ｂ            雨用ズボンの右脚部
８Ｃ            雨用ズボンのウェスト部
８Ｄ            雨用ズボンの下端（裾）
９              雨用ズボンのギャザー
１０            雨用ズボンの開口
１０ａ          雨用ズボンの開口の一方縁
１０ｂ          雨用ズボンの開口の他方縁
１１            雨用ズボンの開口
１１ａ          雨用ズボンの開口の一方縁
１１ｂ          雨用ズボンの開口の他方縁
１２            ファスナー
１２Ａ          スライダー
１３            切口
１３ａ          切口の一方縁
１３ｂ          切口の他方縁
１４            係止ボタン
１５            ゴム糸状部品（紐）
１６            ポケット
１６ａ          雄型ファスナー
１６ｂ          雌型ファスナー
１７ａ〜１７ｃ  止めボタン
１８            使用者の胴体部
１９            既着用ズボン
２０            靴
【図１】
0003140060.tif 000003
【図２】
0003140060.tif 000004
【図３】
0003140060.tif 000005
【図４】
0003140060.tif 000006